(57)【要約】【課題】店舗側で撮影画像に合成される画像をカスタマイズすることができる技術を提供する。【解決手段】切換手段６１ａによるメンテナンスモードへの切換時に、追加背景画像データａＩＭｄをＨＤＤ６３から取り込むように取込手段６１ｃが制御され、取込手段６１ｃにより取り込んだ追加背景画像データａＩＭｄをＨＤＤ６３に書込むように書込手段６１ｈが制御される。また、切換手段６１ａによる通常遊技モードへの切換時に、各背景画像データｂＩＭｄおよび追加背景画像データａＩＭｄのなかから選択されたデータを用いて合成画像が合成手段６１ｆにより合成され、合成された合成画像がシール台紙に印刷手段６１ｇにより印刷される。したがって、メンテナンスモードに切り換えて、記憶媒体ＳＭを介して追加背景画像データａＩＭｄを追加することにより、店舗側で撮影画像に合成される画像をカスタマイズすることができる。【選択図】図１
2016071003.tif 000002
【特許請求の範囲】
【請求項１】
複数の背景画像の背景画像データを選択可能に記憶した記憶手段と、
遊技者を撮影する撮影手段と、
編集画像入力手段の操作により入力される編集画像を受け付ける編集手段と、
前記撮影手段による撮影画像に、前記記憶手段に記憶された前記各背景画像データの中から選択された背景画像データに基づく背景画像および前記編集画像を合成して合成画像を生成する合成手段と、
前記合成画像をシール台紙に印刷する印刷手段とを備える写真シール払出装置において、
前記記憶手段とは別の記憶媒体に格納された追加背景画像の追加背景画像データを取り込む取込手段と、
前記取込手段により取り込まれた前記追加背景画像データを前記記憶手段に書込む書込手段と、
通常遊技モードと、メンテナンスモードとを切り換えるための切換手段と、
前記各手段を制御する制御手段とを備え、
前記制御手段は、
前記切換手段による前記メンテナンスモードへの切換時に、前記取込手段を制御して、前記追加背景画像データを前記記憶媒体から取り込み、前記書込手段を制御して前記取込手段により取り込んだ前記追加背景画像データを前記記憶手段に書込み、
前記切換手段による前記通常遊技モードへの切換時に、前記合成手段を制御して前記記憶手段に記憶されている前記各背景画像データおよび前記追加背景画像データのなかから選択されたデータを用いて前記合成画像を生成させ、前記印刷手段を制御して前記合成手段により生成された前記合成画像を前記シール台紙に印刷させる
ことを特徴とする写真シール払出装置。
【請求項２】
前記制御手段は、前記切換手段による前記メンテナンスモードへの切換時に、文字列入力手段の操作により入力された文字列データを取り込むように前記取込手段を制御し、
前記切換手段による前記メンテナンスモードへの切換時に、前記制御手段により制御されて、前記取込手段により取り込んだ前記文字列データを文字列画像データに変換する変換手段をさらに備え、
前記書込手段は、前記切換手段による前記メンテナンスモードへの切換時に前記制御手段により制御されて、前記変換手段により変換された前記文字列画像データを前記記憶手段に書込み、
前記合成手段は、前記切換手段による前記通常遊技モードへの切換時に前記制御手段により制御されて、前記記憶手段に記憶されている前記各背景画像データおよび前記追加背景画像データのなかから選択されたデータを用いた前記合成画像の生成を行い、
前記印刷手段は、前記切換手段による前記通常遊技モードへの切換時に、前記制御手段により制御されて、前記合成手段により生成された前記合成画像を前記シール台紙に印刷するとともに、前記記憶手段から読み込んだ前記文字列画像データに基づく文字列画像を前記シール台紙の所定領域に印刷する
ことを特徴する請求項１に記載の写真シール払出装置。
【請求項３】
前記切換手段は、予め切換操作が許可された管理者が切換操作可能に設定され、
前記追加背景画像データは、前記管理者により前記記憶媒体に格納されるものであることを特徴とする請求項１に記載の写真シール払出装置。
【請求項４】
前記切換手段は、予め切換操作が許可された管理者が切換操作可能に設定され、
前記文字列データは、前記管理者による前記文字列入力手段の操作により入力されるものであることを特徴とする請求項２に記載の写真シール払出装置。
【請求項５】
前記取込手段により取り込まれた前記追加背景画像データを、前記合成手段による合成処理に最適なデータに最適化する最適化手段をさらに備えることを特徴とする請求項１ないし４のいずれかに記載の写真シール払出装置。
【発明の詳細な説明】
【技術分野】
【０００１】
本発明は、撮影画像に背景画像および編集画像を合成した合成画像をシール台紙に印刷して払い出す写真シール払出装置に関する。
【背景技術】
【０００２】
従来、撮影ブース内の人物を撮影し、シール台紙に撮影画像を印刷してユーザーに提供する写真シール払出装置が知られている（例えば特許文献１参照）。このような写真シール払出装置では、撮影画像と、ユーザーによる落書きにより形成された編集画像や、予め記憶された背景画像とを合成して合成画像を生成し、当該合成画像をシール台紙に印刷して提供するように構成されたものが一般的である。
【先行技術文献】
【特許文献】
【０００３】
【特許文献１】特開２０１３−２５５２１７号公報
【発明の概要】
【発明が解決しようとする課題】
【０００４】
写真シール払出装置において、一般的に、撮影画像に合成される背景画像として複数の背景画像が予め装置内に記憶されており、複数の背景画像のうち、ユーザーにより選択された背景画像と撮影画像とが合成される。ところが、写真シール払出装置が設置される店舗から、花火大会やハロウィン等の季節、店舗の土地柄に合わせて装置内に記憶されている背景画像を店舗側でカスタマイズしたいという要望があった。また、シール台紙に印刷される文字列画像を店舗広告として店舗側で任意に設定したいという要望もある。
【０００５】
本発明は上記した課題に鑑みて為されたものであり、店舗側で撮影画像に合成される画像をカスタマイズすることができる技術を提供することを第１の目的とする。また、シール台紙に任意の文字列画像を印刷することができる技術を提供することを第２の目的とする。
【課題を解決するための手段】
【０００６】
上記した第１の目的を達成するために、本発明にかかる写真シール払出装置は、複数の背景画像の背景画像データを選択可能に記憶した記憶手段と、遊技者を撮影する撮影手段と、編集画像入力手段の操作により入力される編集画像を受け付ける編集手段と、前記撮影手段による撮影画像に、前記記憶手段に記憶された前記各背景画像データの中から選択された背景画像データに基づく背景画像および前記編集画像を合成して合成画像を生成する合成手段と、前記合成画像をシール台紙に印刷する印刷手段とを備える写真シール払出装置において、前記記憶手段とは別の記憶媒体に格納された追加背景画像の追加背景画像データを取り込む取込手段と、前記取込手段により取り込まれた前記追加背景画像データを前記記憶手段に書込む書込手段と、通常遊技モードと、メンテナンスモードとを切り換えるための切換手段と、前記各手段を制御する制御手段とを備え、前記制御手段は、前記切換手段による前記メンテナンスモードへの切換時に、前記取込手段を制御して、前記追加背景画像データを前記記憶媒体から取り込み、前記書込手段を制御して前記取込手段により取り込んだ前記追加背景画像データを前記記憶手段に書込み、前記切換手段による前記通常遊技モードへの切換時に、前記合成手段を制御して前記記憶手段に記憶されている前記各背景画像データおよび前記追加背景画像データのなかから選択されたデータを用いて前記合成画像を生成させ、前記印刷手段を制御して前記合成手段により生成された前記合成画像を前記シール台紙に印刷させることを特徴としている（請求項１）。
【０００７】
また、上記した第２の目的を達成するために、本発明にかかる写真シール払出装置は、前記制御手段は、前記切換手段による前記メンテナンスモードへの切換時に、文字列入力手段の操作により入力された文字列データを取り込むように前記取込手段を制御し、前記切換手段による前記メンテナンスモードへの切換時に、前記制御手段により制御されて、前記取込手段により取り込んだ前記文字列データを文字列画像データに変換する変換手段をさらに備え、前記書込手段は、前記切換手段による前記メンテナンスモードへの切換時に前記制御手段により制御されて、前記変換手段により変換された前記文字列画像データを前記記憶手段に書込み、前記合成手段は、前記切換手段による前記通常遊技モードへの切換時に前記制御手段により制御されて、前記記憶手段に記憶されている前記各背景画像データおよび前記追加背景画像データのなかから選択されたデータを用いた前記合成画像の生成を行い、前記印刷手段は、前記切換手段による前記通常遊技モードへの切換時に、前記制御手段により制御されて、前記合成手段により生成された前記合成画像を前記シール台紙に印刷するとともに、前記記憶手段から読み込んだ前記文字列画像データに基づく文字列画像を前記シール台紙の所定領域に印刷することを特徴としている（請求項２）。
【０００８】
また、前記切換手段は、予め切換操作が許可された管理者が切換操作可能に設定され、
前記追加背景画像データは、前記管理者により前記記憶媒体に格納されるものであるとよい（請求項３）。
【０００９】
また、前記切換手段は、予め切換操作が許可された管理者が切換操作可能に設定され、
前記文字列データは、前記管理者による前記文字列入力手段の操作により入力されるものであるとよい（請求項４）。
【００１０】
また、前記取込手段により取り込まれた前記追加背景画像データを、前記合成手段による合成処理に最適なデータに最適化する最適化手段をさらに備えるとよい（請求項５）。
【発明の効果】
【００１１】
請求項１にかかる発明によれば、切換手段により、通常遊技モードとメンテナンスモードとを切り換えられるようになっている。また、記憶手段とは別の記憶媒体に格納された追加背景画像の追加背景画像データを取り込む取込手段と、取込手段により取り込まれた追加背景画像データを記憶手段に書込む書込手段とを備えている。そして、切換手段によるメンテナンスモードへの切換時に、追加背景画像データを記憶媒体から取り込むように取込手段が制御され、取込手段により取り込んだ追加背景画像データを記憶手段に書込むように書込手段が制御される。
【００１２】
また、切換手段による通常遊技モードへの切換時に、記憶手段に記憶されている各背景画像データおよび追加背景画像データのなかから選択されたデータを用いて合成画像を生成するように合成手段が制御される。そして、合成手段により生成された合成画像をシール台紙に印刷するように印刷手段が制御される。したがって、メンテナンスモードに切り換えて、記憶媒体を介して所望の追加背景画像データを追加することにより、店舗側で撮影画像に合成される画像をカスタマイズすることができる。
【００１３】
請求項２にかかる発明によれば、切換手段によるメンテナンスモードへの切換時に、文字列入力手段の操作により入力された文字列データを取り込むように取込手段が制御され、取込手段により取り込まれた文字列データを文字列画像データに変換するように変換手段が制御される。そして、変換手段により変換された文字列画像データを記憶手段に書込むように書込手段が制御される。
【００１４】
また、切換手段による通常遊技モードへの切換時に、記憶手段に記憶されている各背景画像データおよび追加背景画像データのなかから選択されたデータを用いて合成画像を生成するように合成手段が制御される。そして、合成手段により生成された合成画像をシール台紙に印刷するように印刷手段が制御されるとともに、記憶手段から読み込んだ文字列画像データに基づく文字列画像をシール台紙の所定領域に印刷するように印刷手段が制御される。したがって、店舗側より入力された店舗広告などの任意の文字列データが変換された文字列画像データに基づいて、シール台紙の所定領域に任意の文字列から成る文字列画像を印刷することができる。
【００１５】
請求項３にかかる発明によれば、切換手段は、予め切換操作が許可された管理者が切換操作可能に設定され、追加背景画像データは、管理者により記憶媒体に格納されるものであるため、管理者のみが所望の追加背景画像データを追加することができる実用的な構成の写真シール払出装置を提供することができる。
【００１６】
請求項４にかかる発明によれば、切換手段は、予め切換操作が許可された管理者が切換操作可能に設定され、文字列データは、管理者による文字列入力手段の操作により入力されるものであるため、管理者のみが所望の文字列データ（文字列画像データ）を追加することができる実用的な構成の写真シール払出装置を提供することができる。
【００１７】
請求項５にかかる発明によれば、取込手段により取り込まれた追加背景画像データが、合成手段による合成処理に最適なデータに最適化手段により最適化される。したがって、追加背景画像データの画像フォーマットや、画像サイズ、解像度、諧調度、色解像度などが最適化手段により最適化されるので、シール台紙に印刷するのに最適な合成画像を形成することができる。また、最適化手段により追加背景画像データを合成処理に最適なデータに最適化することができ、店舗側で用意する追加背景画像データの加工処理作業を簡易なものとすることができるので、店舗側の利便性を高めることができる。
【図面の簡単な説明】
【００１８】
【図１】本発明の一実施形態にかかる写真シール払出装置の電気的構成を示すブロック図である。
【図２】合成画像および文字列画像が印刷されたシール台紙の一例を示す図である。
【図３】モード切換処理を示すフローチャートである。
【図４】追加背景画像データ取込処理を示すフローチャートである。
【図５】文字列データ取込処理を示すフローチャートである。
【発明を実施するための形態】
【００１９】
本発明の一実施形態にかかる写真シール払出装置について図１および図２を参照して説明する。
【００２０】
図１は本発明の一実施形態にかかる写真シール払出装置の電気的構成を示すブロック図、図２は合成画像および文字列画像が印刷されたシール台紙の一例を示す図である。
【００２１】
写真シール払出装置１は、装置本体に撮影ブース２、編集ブース３および印刷ブース４を備え、動作モードとして、ユーザー（遊技者）が、各ブース２、３、４のそれぞれにおいて撮影、編集および印刷を順番に行うことができる通常遊技モードと、管理者が、追加背景画像ａＩＭや文字列画像ｓＩＭを装置に追加することができるメンテナンスモードとを備えている。
【００２２】
撮影ブース２の外壁には、図示省略された受付モニターおよびスピーカーが設けられている。受付モニターは、撮影ブース２の占有状況、デモムービーあるいは宣伝広告等をユーザーに表示し、スピーカーは、写真シール払出装置１の遊技方法等を案内する音声を出力する。さらに、撮影ブース２の外壁には、受付モニターの近傍にコイン受付部２０３が設けられている。そして、ユーザーは、所定の遊技料金（例えば、４００円）のコインをコイン受付部２０３に設けられた投入口に投入した後に、撮影ブース２内に移動して撮影を行うことができる。
【００２３】
撮影ブース２内では、ユーザーの後方にクロマキーカーテンが配置されるとともに、ユーザーの前方に撮影装置２１（撮影手段）および撮影部モニター２２が配置されており、撮影装置２１および撮影部モニター２２が撮影ブース２内のユーザーに対向する。撮影装置２１は、ＣＣＤ（Charge Coupled Device）カメラ等で構成され、クロマキーカーテンを背景にして撮影ブース２内のユーザーを撮影して撮影画像ＩＭを取得する。撮影部モニター２２は、ＬＣＤ（Liquid Crystal Display）等で構成され、撮影装置２１が捉えた画像をユーザーに向けて表示する。したがって、ユーザーは、撮影装置２１が捉えた画像を撮影部モニター２２で確認しながら、撮影装置２１による撮影を行うことができる。
【００２４】
また、撮影ブース２では、蛍光灯２３、ストロボ発光部２４１およびストロボ制御装置２４２といった照明系が設けられている。蛍光灯２３は、撮影ブース２内のユーザーを前方および上方から照らして、撮影装置２１による撮影に必要な露光量を確保し、ストロボ発光部２４１は、撮影装置２１が撮影を行う瞬間にユーザーを照らして、撮影時における影の発生を抑える。この際、ストロボ発光部２４１の発光タイミングや発光量は、ストロボ制御装置２４２によって制御される。
【００２５】
この撮影ブース２は、撮影装置２１によって静止画の他に動画（ムービー）も撮影することができる。そこで、撮影ブース２は、動画撮影時にユーザーを照らすムービー用照明装置２５や、動画撮影時に撮影ブース２内の音声を録音するムービー用音声録音装置２６を有する。さらに、撮影ブース２は、静止画および動画の撮影手順の音声案内や、動画撮影時のＢＧＭ（Background Music）等を出力する撮影部スピーカー２７を有する。
【００２６】
そして、ユーザーは、撮影ブース２で撮影した静止画（撮影画像ＩＭ）の編集を編集ブース３で行うことができる。編集ブース３は、撮影ブース２に隣接して配置されており、編集モニター３１（編集画像入力手段）、入力ペン３２（編集画像入力手段）および編集部スピーカー３３を有する。編集モニター３１は、ＬＣＤ等で構成され、編集対象となる静止画や編集内容を選択するためのボタンをユーザーに向けて表示する。入力ペン３２は編集モニター３１の近傍に用意されており、ユーザーは、入力ペン３２により編集モニター３１を操作することで、静止画に合成する編集画像ｅＩＭ（落書き）を形成したり、静止画に合成する背景画像ｂＩＭや追加背景画像ａＩＭを選択したり、所定のパーツ編集を静止画に施したりすることができる。また、編集部スピーカー３３は、編集手順の音声案内や編集時のＢＧＭ等を出力する。
【００２７】
具体的には、編集ブース３では、静止画に対する文字や絵等の落書きを行える他、静止画中の人物パーツ（黒目、髪の毛、肌、顔等）毎に色、サイズ、形状等を変更するパーツ編集（メイク）を実行できる。すなわち、ユーザーは、編集モニター３１において静止画（撮影画像ＩＭ）中の人物パーツに触れることで、パーツ編集の対象となる人物パーツを選択できる。さらに、ユーザーは、編集モニター３１に表示されたボタンのうち所望の編集内容を示すボタンに触れることで、当該ボタンが示すパーツ編集を選択した人物パーツに実行できる。パーツ編集の具体的内容としては種々のものがあり、例えば静止画中の人物の黒目（瞳）の色を変更したり、黒目を大きくしたり、髪の毛の色を変更したり、肌の色や艶を変更したり、肌に化粧を施したり、顔のサイズを小さくしたりといったパーツ編集が可能である。
【００２８】
こうして、編集ブース３で編集されて合成された静止画（合成画像ｃＩＭ）は、印刷ブース４でシール台紙Ｍに印刷されてユーザーに提供される。印刷ブース４は、編集ブース３に隣接配置されており、印刷部モニター４１、プリンター４２（印刷手段）、シール排出口（図示省略）および印刷部スピーカー４４を有する。印刷部モニター４１は、ＬＣＤ等で構成され、編集ブース３で編集されて合成された静止画をユーザーに向けて表示する。プリンター４２は、インクジェット方式のプリンター等で構成され、印刷部モニター４１に表示された静止画をシール台紙Ｍの所定領域Ａにユーザーにより決定された所定のレイアウトで印刷する。こうしてシール台紙Ｍに印刷された静止画は、シール排出口４３から排出されてユーザーに提供される。また、印刷部スピーカー４４は、印刷手順の音声案内や印刷時のＢＧＭ等を出力する。
【００２９】
また、写真シール払出装置１は、撮影ブース２、編集ブース３および印刷ブース４の制御を司る主制御装置６を有する。主制御装置６は、ＣＰＵ（Central Processing Unit）６１（制御手段）、メモリー６２およびＨＤＤ（Hard disk drive）６３（記憶手段）、制御部モニター６５（文字列入力手段）、キーボード６６（文字列入力手段）、記憶媒体読取手段６７（取込手段）で構成されたコンピューターである。ＣＰＵ６１は、主制御装置６における基本プログラムの他、撮影プログラム、編集プログラムおよび印刷プログラム、メンテナンスプログラム等の各種プログラムを実行する。ＣＰＵ６１の機能については、後に詳述する。メモリー６２は、フラッシュメモリー等の不揮発性メモリーおよびＲＡＭ（Random Access Memory）で構成されており、ＣＰＵ６１で実行される各種プログラムや各種データを書換可能に一時記憶する。ＨＤＤ６３は、ＣＰＵ６１で実行される各種プログラムや、撮影画像データＩＭｄ、背景画像データｂＩＭｄ、編集画像データｅＩＭｄ、合成画像データｃＩＭｄ、追加背景画像データａＩＭｄ、文字列データＳＴｄ、文字列画像データｓＩＭｄ等の各種データを保存する。なお、ＨＤＤ６３は、複数の背景画像ｂＩＭの背景画像データｂＩＭｄを選択可能に記憶する。
【００３０】
制御部モニター６５は、ＬＣＤ等で構成され、後述するメンテナンスモードにおいて使用される。具体的には、例えば、管理者によるキーボード６６の操作により入力される文字列データＳＴｄが制御部モニター６５に表示されたり、記憶媒体ＳＭを介して取り込まれた追加背景画像ａＩＭが制御部モニター６５に表示される。記憶媒体読取手段６７は、ＵＳＢ（Universal Serial Bus）インターフェースやＳＤ（セキュアデジタル）カードメモリーインターフェース、光ディスクドライブなどのデータ読取手段を備え、ＵＳＢメモリー、ＳＤカードメモリー、光ディスク等の、ＨＤＤ６３とは別の記憶媒体ＳＭに格納されたＪＰＥＧ形式やビットマップ形式の追加背景画像ａＩＭの追加背景画像データａＩＭｄを読み取る。さらに、主制御装置６は、各スピーカー２７、３３、４４による音声案内を制御する音声制御装置６４も備える。
【００３１】
また、主制御装置６は、通常遊技モードにおいて、ＣＰＵ６１により撮影プログラムを実行することで、撮影ブース２での人物の撮影を実行して撮影画像ＩＭを取得し、当該撮影画像ＩＭをＨＤＤ６３に保存する。また、主制御装置６は、通常遊技モードにおいて、ＣＰＵ６１により編集プログラムを実行することで、編集ブース３におけるユーザーの入力に従って撮影画像ＩＭを編集する。この際、主制御装置６（マスク生成手段）は、人物をマスクする前景マスクとクロマキーカーテンをマスクする背景マスクとを撮影画像ＩＭから生成し、各マスクを用いて撮影画像ＩＭにクロマキー合成を行うことで、ユーザーが指定した背景画像ｂＩＭや追加背景画像ａＩＭを背景とし、ユーザーが作成した編集画像ｅＩＭ（落書き）が追加された人物の合成画像ｃＩＭを生成する。
【００３２】
さらに、主制御装置６は、編集プログラムに従って、編集モニター３１に表示された撮影画像ＩＭ中にユーザーがパーツ編集の対象となる位置を指定すると、ＣＰＵ６１は、ユーザーが指定した位置の人物パーツを特定し、当該人物パーツに所定のパーツ編集を行う。こうして、各人物パーツにパーツ編集を個別に行うことができる。また、主制御装置６は、通常遊技モードにおいて、ＣＰＵ６１により印刷プログラムを実行することで、編集・合成された合成画像ｃＩＭや後述する文字列画像ｓＩＭを、印刷ブース４のプリンター４２を用いてシール台紙Ｍに印刷する。
【００３３】
また、主制御装置６は、メンテナンスモードにおいて、ＣＰＵ６１によりメンテナンスプログラムを実行することで、管理者により記憶媒体ＳＭに格納された追加背景画像データａＩＭｄを取り込んでＨＤＤ６３に書込む。また、管理者によるキーボード６６の操作により入力された文字列データＳＴｄを取り込んで、文字列画像データｓＩＭｄとしてＨＤＤ６３に書込む。
【００３４】
また、主制御装置６は、ＣＰＵ６１により各種プログラムが実行されることにより具現化される以下の各種機能を備えている。
【００３５】
切換手段６１ａは、撮影プログラム、編集プログラムおよび印刷プログラムが実行される通常遊技モードと、メンテナンスプログラムが実行されるメンテナンスモードとを切り換えるものである。切換手段６１ａは、予め切換操作が許可された管理者が切換操作可能に設定されている。具体的には、主制御装置６が、パスワードやセキュリティ用のキーカードにより管理されたり、主制御装置６が、鍵付の扉により閉塞された設置場所に配置されることにより、管理者のみが切換手段６１ａによる切換操作を行うことができるように主制御装置６が管理されている。
【００３６】
編集手段６１ｂは、切換手段６１ａによる通常遊技モードへの切換時に、編集ブース３において編集モニター３１および入力ペン３２がユーザーにより操作されることにより入力される編集画像ｅＩＭを受け付ける。取込手段６１ｃは、切換手段６１ａによりメンテナンスモードへの切換時に、管理者により記憶媒体ＳＭに格納されて記憶媒体読取手段６７により読み取られた追加背景画像ａＩＭの追加背景画像データａＩＭｄを取り込んだり、管理者によるキーボード６６の操作により入力された文字列データＳＴｄを取り込む。
【００３７】
最適化手段６１ｄは、取込手段６１ｃにより取り込まれた追加背景画像データａＩＭｄを、後述する合成手段６１ｆにより合成処理に最適なデータに最適化する。すなわち、追加背景画像データａＩＭｄの画像フォーマットや、画像サイズ、解像度、諧調度、色解像度などが最適化手段６１ｄにより最適化される。変換手段６１ｅは、切換手段６１ａによるメンテナンスモードへの切換時に、取込手段６１ｃにより取り込んだ文字列データＳＴｄを文字列画像データｓＩＭｄに変換する。なお、変換手段６１ｅにより文字列データＳＴｄが変換されることにより生成された文字列画像データｓＩＭｄに基づく文字列画像ｓＩＭのデザインは、主制御装置６において予め設定されたデザインであってもよいし、主制御装置６において予め設定された複数のデザインのなかから管理者により選択されたデザインであってもよい。
【００３８】
合成手段６１ｆは、切換手段６１ａによる通常遊技モードへの切換時に、撮影装置２１により取得された撮影画像ＩＭに、ＨＤＤ６３に記憶された各背景画像データｂＩＭｄおよび追加背景画像データａＩＭｄのなかからユーザーにより選択されたデータに基づく画像ｂＩＭ，ａＩＭと、編集手段６１ｂにより受け付けられた編集画像ｅＩＭとを合成して合成画像ｃＩＭを生成する。
【００３９】
印刷手段６１ｇは、切換手段６１ａによる通常遊技モードへの切換時に、合成手段６１ｆにより生成されてＨＤＤ６３に格納された合成画像データｃＩＭｄを読み込んで、合成画像データｃＩＭｄに基づく合成画像ｃＩＭを、プリンター４２を用いてシール台紙Ｍの所定領域Ａに印刷する。また、印刷手段６１ｇは、切換手段６１ａによる通常遊技モードへの切換時に、変換手段６１ｅにより文字列データＳＴｄが変換されることにより生成されてＨＤＤ６３に格納された文字列画像データｓＩＭｄを読み込んで、文字列画像データｓＩＭｄに基づく文字列画像ｓＩＭを、プリンター４２を用いてシール台紙Ｍの所定領域Ｂに印刷する。
【００４０】
書込手段６１ｈは、切換手段６１ａによる通常遊技モードへの切換時に、撮影装置２１により取得された撮影画像ＩＭの撮影画像データＩＭｄ、編集手段６１ｂにより受け付けられた編集画像ｅＩＭの編集画像データｅＩＭｄ、合成手段６１ｆにより合成された合成画像ｃＩＭの合成画像データｃＩＭｄをＨＤＤ６３に書込む。また、書込手段６１ｈは、切換手段６１ａによるメンテナンスモードへの切換時に、取込手段６１ｃにより取り込まれた追加背景画像ａＩＭの追加背景画像データａＩＭｄ、取込手段６１ｃにより取り込まれた文字列データＳＴｄ、変換手段６１ｅにより文字列データＳＴｄが変換されることにより生成された文字列画像データｓＩＭｄをＨＤＤ６３に書込む。
【００４１】
また、写真シール払出装置１は、主制御装置６と撮影ブース２との信号の入出力を制御する入出力制御装置７１と、主制御装置６から外部装置へデータを出力する通信装置７３とを備える。例えば、写真シール払出装置１は、通信装置７３によってインターネットに接続されており、インターネットを介して外部のサーバーにアップロードした撮影画像ＩＭや合成画像ｃＩＭをユーザーの携帯端末（携帯電話、スマートフォン、タブレット型のコンピューター、ノート型のコンピューター等）へ提供することができる。
【００４２】
次に、写真シール払出装置１のメンテナンスモードにおいて実行される処理について説明する。
【００４３】
・モード切換処理
図３を参照してモード切換処理について説明する。図３はモード切換処理を示すフローチャートである。
【００４４】
図３に示すモード切換処理は、主制御装置６において管理者によりメンテナンスプログラムを実行することが選択されることにより実行される。まず、写真シール払出装置１の動作モードを、通常遊技モードからメンテナンスモードに切り換えるか否かが管理者により選択される（ステップＳ１）。動作モードをメンテナンスモードに切り換えることが選択されなければ（ステップＳ１でＮＯ）、モード切換処理を終了する。
【００４５】
動作モードをメンテナンスモードに切り換えることが選択されれば（ステップＳ１でＹＥＳ）、切換手段６１ａにより動作モードがメンテナンスモードに切り換えられる（ステップＳ２）。メンテナンスモードでは、管理者が選択することにより、図４に示す追加背景画像取込処理、もしくは、図５に示す文字列データ取込処理が実行される。なお、メンテナンスモードを終了するか否かが管理者により選択され（ステップＳ３）、メンテナンスモードを終了することが選択されなければ（ステップＳ３でＮＯ）、メンテナンスモードが継続して実行される。
【００４６】
そして、管理者によりメンテナンスモードを終了することが選択されれば（ステップＳ３でＹＥＳ）、切換手段６１ａにより動作モードが通常遊技モードに切り換えられて（ステップＳ４）、処理を終了する。
【００４７】
・追加背景画像データ取込処理
図４を参照して追加背景画像データ取込処理について説明する。図４は追加背景画像データ取込処理を示すフローチャートである。
【００４８】
まず、管理者により記憶媒体ＳＭが記憶媒体読取手段６７にセットされ（ステップＳ１１）、記憶媒体ＳＭに追加背景画像データａＩＭｄが格納されているか否かが判定される（ステップＳ１２）。記憶媒体ＳＭに追加背景画像データａＩＭｄが格納されていないと判定されれば（ステップＳ１２でＮＯ）、制御部モニター６５にエラーメッセージが表示され（ステップＳ１３）、再度、ステップＳ１１において管理者により記憶媒体ＳＭが記憶媒体読取手段６７によりセットされるのを待機する。
【００４９】
記憶媒体ＳＭに追加背景画像データａＩＭｄが格納されていると判定されると（ステップＳ１２でＹＥＳ）、追加背景画像データａＩＭｄが取込手段６１ｃにより取り込まれて（ステップＳ１４）、取り込まれた追加背景画像データａＩＭｄに基づく追加背景画像ａＩＭが制御部モニター６５に表示される（ステップＳ１５）。次に、追加背景画像ａＩＭに問題があるか否かが管理者により判定され（ステップＳ１６）、管理者により追加背景画像ａＩＭに問題があると判定されると（ステップＳ１６でＹＥＳ）、再度、ステップＳ１１において管理者により記憶媒体ＳＭが記憶媒体読取手段６７によりセットされるのを待機する。
【００５０】
管理者により追加背景画像ａＩＭに問題がないと判定されると（ステップＳ１６でＮＯ）、追加背景画像データａＩＭｄが、写真シール払出装置１に最適な状態に最適化手段６１ｄにより最適化される（ステップＳ１７）。続いて、最適化された追加背景画像データａＩＭｄが書込手段６１ｈによりＨＤＤ６３に書込まれ（ステップＳ１８）、追加背景画像データａＩＭｄ（追加背景画像ａＩＭ）の登録が完了したことを通知する案内が制御部モニター６５に表示されて（ステップＳ１９）、図３のモード切換処理に復帰する。なお、図２に示すように、アップ画像用の追加背景画像データａＩＭｄや全身画像用の追加背景画像データａＩＭｄが取込手段６１ｃにより取り込まれる。
【００５１】
・文字列データ取込処理
図５を参照して文字列データ取込処理について説明する。図５は文字列データ取込処理を示すフローチャートである。
【００５２】
まず、管理者によりキーボード６６が操作されて文字列データＳＴｄが入力され（ステップＳ２１）、変換手段６１ｅにより、文字列データＳＴｄが文字列画像データｓＩＭｄに変換される（ステップＳ２２）。なお、管理者は、キーボード６６を操作することにより制御部モニター６５に表示される文字列を確認しながら、文字列データＳＴｄの入力を行う。続いて、文字列画像データｓＩＭｄに基づく文字列画像ｓＩＭがシール台紙Ｍの所定領域Ｂに印刷されたときの印刷レイアウトが制御部モニター６５に表示され（ステップＳ２３）、印刷レイアウトに問題があるか否かが管理者により判定される（ステップＳ２４）。
【００５３】
管理者により印刷レイアウトに問題があると判定されると（ステップＳ２４でＹＥＳ）、再度、ステップＳ２１において管理者により文字列データＳＴｄが入力されるのを待機する。管理者により印刷レイアウトに問題がないと判定されると（ステップＳ２４でＮＯ）、文字列画像データｓＩＭｄが書込手段６１ｈによりＨＤＤ６３に書込まれ（ステップＳ２５）、文字列画像データｓＩＭｄ（文字列画像ｓＩＭ）の登録が完了したことを通知する案内が制御部モニター６５に表示されて（ステップＳ２６）、図３のモード切換処理に復帰する。なお、図２に示す例では、管理者により店舗広告として店舗名を示す文字列データＳＴｄが入力され、店舗名を示す文字列画像ｓＩＭがシール台紙Ｍに印刷されているが、どのような文字列データＳＴｄが管理者により入力されてもよい。
【００５４】
以上に説明したように、本実施形態によれば、切換手段６１ａにより、通常遊技モードとメンテナンスモードとを切り換えられるようになっている。また、ＨＤＤ６３とは別の記憶媒体ＳＭに格納された追加背景画像ａＩＭの追加背景画像データａＩＭｄを取り込む取込手段６１ｃと、取込手段６１ｃにより取り込まれた追加背景画像データａＩＭｄをＨＤＤ６３に書込む書込手段６１ｈとを備えている。そして、切換手段６１ａによるメンテナンスモードへの切換時に、追加背景画像データａＩＭｄを記憶媒体ＳＭから取り込むように取込手段６１ｃが制御され、取込手段６１ｃにより取り込んだ追加背景画像データａＩＭｄをＨＤＤ６３に書込むように書込手段６１ｈが制御される。
【００５５】
また、切換手段６１ａによる通常遊技モードへの切換時に、ＨＤＤ６３に記憶されている各背景画像データｂＩＭｄおよび追加背景画像データａＩＭｄのなかから選択されたデータを用いて合成画像ｃＩＭを生成するように合成手段６１ｆが制御される。そして、合成手段６１ｆにより生成された合成画像ｃＩＭをシール台紙Ｍに印刷するように印刷手段６１ｇが制御される。したがって、切換手段６１ａによりメンテナンスモードに切り換えて、記憶媒体ＳＭを介して追加背景画像データａＩＭｄを追加することにより、店舗側で撮影画像ＩＭに合成される画像をカスタマイズすることができる。また、他の店舗との差別化を図ることができ、集客の向上を図ることができる。また、店舗ごとに異なる画像を撮影画像ＩＭに合成することができるので、写真リール払出装置１を利用するユーザーの興趣を高めることができ、ユーザーの満足度の向上を図ることができる。
【００５６】
また、切換手段６１ａによるメンテナンスモードへの切換時に、キーボード６６の操作により入力された文字列データＳＴｄを取り込むように取込手段６１ｃが制御され、取込手段６１ｃにより取り込まれた文字列データＳＴｄを文字列画像データｓＩＭｄに変換するように変換手段６１ｅが制御される。そして、変換手段６１ｅにより変換された文字列画像データｓＩＭｄをＨＤＤ６３に書込むように書込手段６１ｈが制御される。
【００５７】
また、切換手段６１ａによる通常遊技モードへの切換時に、ＨＤＤ６３に記憶されている各背景画像データｂＩＭｄおよび追加背景画像データａＩＭｄのなかから選択されたデータを用いて合成画像ｃＩＭを生成するように合成手段６１ｆが制御される。そして、合成手段６１ｆにより生成された合成画像ｃＩＭをシール台紙Ｍに印刷するように印刷手段６１ｇが制御されるとともに、ＨＤＤ６３から読み込んだ文字列画像データｓＩＭｄに基づく文字列画像ｓＩＭをシール台紙Ｍの所定領域Ｂに印刷するように印刷手段６１ｇが制御される。したがって、店舗側より入力された任意の文字列データＳＴｄが変換された文字列画像データｓＩＭｄに基づいて、シール台紙Ｍの所定領域Ｂに任意の文字列から成る文字列画像ｓＩＭを印刷することができる。
【００５８】
また、切換手段６１ａは、予め切換操作が許可された管理者が切換操作可能に設定され、追加背景画像データａＩＭｄは、管理者により記憶媒体ＳＭに格納されるものであり、文字列データＳＴｄは、管理者によるキーボード６６の操作により入力されるものである。したがって、管理者のみが追加背景画像データａＩＭｄを追加することができ、管理者のみが文字列データＳＴｄ（文字列画像データｓＩＭｄ）を追加することができる実用的な構成の写真シール払出装置１を提供することができる。
【００５９】
また、取込手段６１ｃにより取り込まれた追加背景画像データａＩＭｄが、合成手段６１ｆによる合成処理に最適なデータに最適化手段６１ｄにより最適化される。したがって、追加背景画像データａＩＭｄの画像フォーマットや、画像サイズ、解像度、諧調度、色解像度などが最適化手段６１ｄにより最適化されるので、シール台紙Ｍに印刷するのに最適な合成画像ｃＩＭを形成することができる。また、最適化手段６１ｄにより追加背景画像データａＩＭｄを合成処理に最適なデータに最適化することができ、店舗側で用意する追加背景画像データａＩＭｄの加工処理作業を簡易なものとすることができるので、店舗側の利便性を高めることができる。
【００６０】
なお、本発明は上記した実施形態に限定されるものではなく、その趣旨を逸脱しない限りにおいて上述したもの以外に種々の変更を行うことができる。例えば、記憶媒体ＳＭに格納された文字列データＳＴｄが取込手段６１ｃにより取り込まれるようにしてもよく、管理者が操作することにより文字列データＳＴｄを入力することができれば、どのような手段により文字列データＳＴｄが入力されるようにしてもよい。
【符号の説明】
【００６１】
１…写真シール払出装置
２１…撮影装置（撮影手段）
３１…編集モニター（編集画像入力手段）
３２…入力ペン（編集画像入力手段）
４２…プリンター（印刷手段）
６１…ＣＰＵ（制御手段）
６１ａ…切換手段
６１ｂ…編集手段
６１ｃ…取込手段
６１ｄ…最適化手段
６１ｅ…変換手段
６１ｆ…合成手段
６１ｇ…印刷手段
６１ｈ…書込手段
６３…ＨＤＤ（記憶手段）
６５…制御部モニター（文字列入力手段）
６６…キーボード（文字列入力手段）
６７…記憶媒体読取手段（取込手段）
Ｂ…所定領域
ＩＭ…撮影画像
ａＩＭ…追加背景画像
ａＩＭｄ…追加背景画像データ
ｂＩＭ…背景画像
ｂＩＭｄ…背景画像データ
ｃＩＭ…合成画像
ｅＩＭ…編集画像
ｓＩＭ…文字列画像
ｓＩＭｄ…文字列画像データ
Ｍ…シール台紙
ＳＭ…記憶媒体
ＳＴｄ…文字列データ
【図１】
2016071003.tif 000003
【図２】
2016071003.tif 000004
【図３】
2016071003.tif 000005
【図４】
2016071003.tif 000006
【図５】
2016071003.tif 000007